(57)【特許請求の範囲】
【請求項１】
少なくとも１つのセルを含む通信システムにおける系列割当方法であって、
前記通信システムが、前記通信システムにおいてサポートされる異なる複数の時間／周波数リソースの占有モードに各々対応する複数の系列を含む系列グループを決定し、
前記系列グループを前記少なくとも１つのセルに割り当てること
を含み、前記セルが所属するネットワーク側装置又は前記ネットワーク側装置と通信するユーザ機器が使用する系列は、前記ネットワーク側装置又は前記ユーザ機器の時間／周波数リソースの占有モードに従って、前記系列グループの中から決定され、
前記系列グループ内の系列が、
定振幅ゼロ自己相関（ＣＡＺＡＣ）系列、ＣＡＺＡＣ系列の断片、およびＣＡＺＡＣ系列をＣＡＺＡＣ系列のセグメントと組み合わせることによって取得される系列
のうちの少なくとも１つを含み、
前記系列グループ内の各々の系列と、前記異なる複数の時間／周波数リソースの占有モードとの対応が、異なる系列が異なる帯域幅を有する時間／周波数リソースに対応するものである場合、前記異なる帯域幅を有する時間／周波数リソースを占有する２つの系列が、前記系列グループ内の系列とみなされ、前記２つの系列の指数ｒiが、ｒi＝ｂi・ｋ＋δi、ｉ＝１，２を満たし、ｋが同一であるとき、同一の系列グループに属する前記２つの系列ｂi、δiが、前記異なる帯域幅を有する時間／周波数リソースによって決定され、ｉ＝１，２が前記異なる帯域幅を有する時間／周波数リソースを区別する、
方法。
【請求項２】
Ｎ1、Ｎ2がそれぞれ前記２つの系列の長さを表すとして、ｂ1、ｂ2が、式ｂ1・Ｎ2−ｂ2・Ｎ1＝１を満たすことを含む、請求項１に記載の方法。
【請求項３】
前記系列グループ内の系列は、前記系列グループ内の他の系列と、前記系列グループ外の系列よりも高い相関を有する、請求項１又は２に記載の方法。
【請求項４】
前記系列グループを前記少なくとも１つのセルに割り当てることが、
前記系列グループを前記少なくとも１つのセルに擬似ランダムモードで割り当てることを含む、請求項１〜３のいずれか１項に記載の方法。
【請求項５】
セルが所属するネットワーク側装置と、少なくとも前記ネットワーク側装置と通信するユーザ装置（ＵＥ）とを含む通信システムにおける系列処理方法であって、
前記ネットワーク側装置又は前記ＵＥが、前記セルに割り当てられた、複数の系列を含む系列グループを決定し、前記系列グループ内の前記複数の系列の各々が、前記通信システムにおいてサポートされる異なる複数の時間／周波数リソースの占有モードに対応し、
前記系列グループの中から、前記ネットワーク側装置又は前記ＵＥの時間／周波数リソースの占有モードに従って、処理する系列を決定し、
前記系列を生成し、
生成された前記系列に対して系列処理を実行すること
を含み、
前記系列グループ内の系列が、
定振幅ゼロ自己相関（ＣＡＺＡＣ）系列、ＣＡＺＡＣ系列の断片、およびＣＡＺＡＣ系列とＣＡＺＡＣ系列の断片とを組み合わせることによって取得される系列、のうちの少なくとも１つを含み、
前記系列グループ内の各々の系列と、前記異なる複数の時間／周波数リソースの占有モードとの対応が、異なる系列が異なる帯域幅を有する時間／周波数リソースに対応するものである場合、前記異なる帯域幅を有する時間／周波数リソースを占有する２つの系列が、前記系列グループ内の系列とみなされ、前記２つの系列の指数ｒiが、ｒi＝ｂi・ｋ＋δi、ｉ＝１，２を満たし、ｋが同一であるときに、同一の系列グループに属する前記２つの系列ｂi、δiが、前記異なる帯域幅を有する時間／周波数リソースによって決定され、ｉ＝１，２が前記異なる帯域幅を有する時間／周波数リソースを区別する、
方法。
【請求項６】
前記セルに割り当てられた、複数の系列を含む系列グループを決定することが、
前記セルの識別情報および前記系列グループの識別情報の少なくとも一方に従って、前記セルに割り当てられた前記系列グループを決定することを含む、請求項５に記載の方法。
【請求項７】
Ｎ1、Ｎ2が前記２つの系列の長さを表すとして、ｂ1、ｂ2が式ｂ1・Ｎ2−ｂ2・Ｎ1＝１を満たすことを含む、請求項５に記載の方法。
【請求項８】
前記系列グループ内の系列は、前記系列グループ内の他の系列と、前記系列グループ外の系列よりも高い相関を有する、請求項５〜７のいずれか１項に記載の方法。
【請求項９】
セルが所属するネットワーク側装置と、少なくとも前記ネットワーク側装置と通信するユーザ装置（ＵＥ）とを含む通信システムにおける信号処理のための無線通信装置であって、前記無線通信装置が前記ネットワーク側装置又は前記ＵＥであり、前記無線通信装置が、
前記セルに割り当てられた、複数の系列を含む系列グループを決定するよう構成され、前記系列グループ内の前記複数の系列の各々が、前記通信システムにおいてサポートされる異なる複数の時間／周波数リソースの占有モードに対応する、セル系列決定ユニットと、
前記系列グループの中から、前記ネットワーク側装置又は前記ＵＥの時間／周波数リソースの占有モードに従って、処理する系列を決定するよう構成された時間／周波数リソース系列決定ユニットと、
前記系列を生成するよう構成された系列生成ユニットと、
生成された前記系列に対して系列処理を実行するよう構成された処理ユニットと
を備え、
前記系列グループ内の系列が、
定振幅ゼロ自己相関（ＣＡＺＡＣ）系列、ＣＡＺＡＣ系列の断片、およびＣＡＺＡＣ系列とＣＡＺＡＣ系列の断片とを組み合わせることによって取得される系列、のうちの少なくとも１つを含み、
前記系列グループ内の各々の系列と、前記異なる複数の時間／周波数リソースの占有モードとの対応が、異なる系列が異なる帯域幅を有する時間／周波数リソースに対応するものである場合、前記異なる帯域幅を有する時間／周波数リソースを占有する２つの系列が、前記系列グループ内の系列とみなされ、前記２つの系列の指数ｒiが、ｒi＝ｂi・ｋ＋δi、ｉ＝１，２を満たし、ｋが同一であるときに、同一の系列グループに属する前記２つの系列ｂi、δiが、前記異なる帯域幅を有する時間／周波数リソースによって決定され、ｉ＝１，２が前記異なる帯域幅を有する時間／周波数リソースを区別する、
無線通信装置。
【請求項１０】
Ｎ1、Ｎ2が前記２つの系列の長さを表すとして、ｂ1、ｂ2が式ｂ1・Ｎ2−ｂ2・Ｎ1＝１を満たすことを含む、請求項９に記載の無線通信装置。
【請求項１１】
前記セル系列決定ユニットは更に、前記セルの識別情報および前記系列グループの識別情報の少なくとも一方に従って、前記セルに割り当てられた前記系列グループを決定するよう構成される、請求項９又は１０に記載の無線通信装置。
【請求項１２】
前記系列グループ内の系列は、前記系列グループ内の他の系列と、前記系列グループ外の系列よりも高い相関を有する、請求項９〜１１のいずれか１項に記載の無線通信装置。
【発明の詳細な説明】
【技術分野】
【０００１】
本出願は、「マルチセル・システムにおける系列割当方法、システム、及び装置（ＭＥＴＨＯＤ，  ＳＹＳＴＥＭ  ＡＮＤ  ＡＰＰＡＲＡＴＵＳ  ＦＯＲ  ＳＥＱＵＥＮＣＥ  ＡＬＬＯＣＡＴＩＯＮ  ＩＮ  ＭＵＬＴＩ−ＣＥＬＬ  ＳＹＳＴＥＭ）」と題する、２００６年９月３０日に出願された中国特許出願第２００６１０１５９６６６．７号、「マルチセル・システムにおける系列割当方法、システム、及び装置（ＭＥＴＨＯＤ，  ＳＹＳＴＥＭ  ＡＮＤ  ＡＰＰＡＲＡＴＵＳ  ＦＯＲ  ＳＥＱＵＥＮＣＥ  ＡＬＬＯＣＡＴＩＯＮ  ＩＮ  Ａ  ＭＵＬＴＩ−ＣＥＬＬ  ＳＹＳＴＥＭ）」と題する、２００６年１２月３０日に出願された中国特許出願第２００６１０１７３３６４．５号、「系列割当方法及び装置（ＭＥＴＨＯＤ  ＡＮＤ  ＡＰＰＡＲＡＴＵＳ  ＦＯＲ  ＳＥＱＵＥＮＣＥ  ＡＬＬＯＣＡＴＩＯＮ）」と題する、２００７年３月７日に出願された中国特許出願第２００７１００７３０５７．４号、および「通信システムにおける系列割当方法、系列処理方法及び装置（ＳＥＱＵＥＮＣＥ  ＡＬＬＯＣＡＴＩＮＧ  ＭＥＴＨＯＤ，  ＭＥＴＨＯＤ  ＡＮＤ  ＡＰＰＡＲＡＴＵＳ  ＦＯＲ  ＳＥＱＵＥＮＣＥ  ＰＲＯＣＥＳＳＩＮＧ  ＩＮ  Ａ  ＣＯＭＭＵＮＩＣＡＴＩＯＮ  ＳＹＳＴＥＭ）」と題する、２００７年６月１９日に出願された中国特許出願第２００７１０１１１５３３．７号の優先権を主張するものであ
り、これらは参照によりその全文が本明細書に組み込まれる。
【０００２】
本発明は通信技術に関し、詳細には、通信システムにおける系列（シーケンス）割当方法、系列処理方法および系列処理装置に関する。
【背景技術】
【０００３】
定振幅ゼロ自己相関（ＣＡＺＡＣ：ｃｏｎｓｔａｎｔ  ａｍｐｌｉｔｕｄｅ  ｚｅｒｏ
ａｕｔｏ−ｃｏｒｒｅｌａｔｉｏｎ）系列は以下の特性を有する。
・振幅のモジュールが一定である。例えばモジュールは１に正規化される。
・ゼロ期間自己相関。系列自体に対する最大相関値を除いて、系列は他の巡回シフトに対してゼロの相関値を有する。
【０００４】
上記特性を有する系列では、フーリエ変換によって取得される周波数領域の系列もまたＣＡＺＡＣ系列である。すなわち、周波数領域の系列もまた定振幅およびゼロ自己相関の特性を有する。
【０００５】
ＣＡＺＡＣ系列の上記特性のために、ＣＡＺＡＣ系列は、通信システムの設計に際して次第に大きく注目されるようになっている。通信システムにおいてＣＡＺＡＣ系列を搬送する信号は広く用いられている。例えば、単一搬送波周波数分割多元接続（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式では、１シンボル時間内に系列が送信のために各副搬送波ごとに変調される。送信される信号の系列が受信側において既知であるとき、受信側は、受信される信号を使って通信路推定を行い得る。ＣＡＺＡＣ系列は時間領域の定振幅を有するため、波形は時間領域の小さいピーク対平均値比を示し、送信側による送信が容易である。
【０００６】
一方、送信された信号は周波数領域において各副搬送波ごとに同じ振幅を有するため、受信側は各副搬送波ごとの通信路（チャネル）フェーディングを適切に推定してもよく、推定性能は、副搬送波の信号の振幅が比較的小さいために影響を受けない。
【０００７】
現状では、各セルにＣＡＺＡＣ系列を割り当てる方法は以下のとおりである。ＣＡＺＡＣ系列は、系列の時間／周波数リソースの各占有モードについて１回割り当てられる。さらに、割り当てられることになるＣＡＺＡＣ系列の時間／周波数リソースの占有モードが異なるセルにおいて同じであるとき、同じ長さを有し、系列間相関値の小さい異なるＣＡＺＡＣ系列が、前記異なるセルに割り当てられる。このため、異なるセル間の信号干渉はより小さくなる。例えば、図１に示すように、セルＡとセルＢにおける系列の時間／周波数リソースの占有モードは相互に完全に重なり合い、その場合、セルＡとセルＢとの間の信号干渉が回避されるように、セルＡとセルＢにはそれぞれ、同じ長さを有する、相関の低いＣＡＺＡＣ系列が割り当てられる。
【発明の概要】
【発明が解決しようとする課題】
【０００８】
本発明の様々な実施形態は、通信システムにおいて、系列割り当ての過程で占有される無線ネットワーク転送リソースが節約されるように系列を割り当て、処理する方法および装置を提供する。
【課題を解決するための手段】
【０００９】
本発明の一実施形態は通信システムにおいて系列を割り当てる方法を提供する。この方法は、
システムにおいてサポートされる系列の時間／周波数リソースの占有モードに従って決定される複数の系列を含む系列グループを生成し、
前記系列グループをセルに割り当てること、を含む。
【００１０】
本発明の一実施形態はさらに通信システムにおける系列処理方法を提供する。この方法は、
セルに割り当てられた系列グループの情報を決定し、
系列の時間／周波数リソースの占有モードに従って前記系列グループの情報から系列生成情報を決定し、
前記系列生成情報に従って系列を生成し、
生成された系列に対して系列処理を実行すること、を含む。
【００１１】
本発明の一実施形態はさらに、信号処理のための無線通信装置を提供する。この装置は、
セルに割り当てられた系列グループの情報を特定するよう構成されたセル系列特定ユニットと、
系列の時間／周波数リソースの占有モードに従って前記系列グループの情報から系列生成情報を特定するよう構成された時間／周波数リソース系列特定ユニットと、
前記系列生成情報に従って系列を生成するよう構成された系列生成ユニットと、
生成された系列に対する系列処理を実行するよう構成された処理ユニットと、を含む。
【００１２】
本発明の実施形態によって提供される技術的解決手段においては、複数の系列を含む系列グループがセルに割り当てられるため、セルへの系列割り当てが、時間／周波数リソースの異なる占有モードに対する信号伝送によって実施される必要があるという現象が回避され、系列割り当ての過程で占有される無線ネットワーク転送リソースが節約されうる。
【図面の簡単な説明】
【００１３】
【図１】従来技術において異なるセルにおける系列の時間／周波数リソースの占有モードが相互に完全に重なり合うことを示す概略図である。
【図２】従来技術において異なるセルにおける系列の時間／周波数リソースの占有モードが相互に部分的に重なり合うことを示す第１の概略図である。
【図３】従来技術において異なるセルにおける系列の時間／周波数リソースの占有モードが相互に完全に重なり合うことを示す第２の概略図である。
【図４】本発明の一実施形態による系列割り当ておよび処理方法の流れを示す概略図である。
【図５】本発明の一実施形態による、短い系列と長い系列の断片（フラグメント）との間の相関を示す概略図である。
【図６】本発明の一実施形態による、系列断片と系列サンプルとの間の相関を示す概略図である。
【図７】本発明の一実施形態による通信システムにおける装置の構造を示す概略図である。
【図８】本発明の一実施形態による通信システムにおける装置の構造を示す概略図である。
【発明を実施するための形態】
【００１４】
以下で本発明の各実施形態を図面と併せて説明する。
【００１５】
本発明を実施する過程で発明者は、従来技術には少なくとも以下の２つの問題があることを見出している。
【００１６】
１．多数の無線ネットワークリソースが占有される。ＣＡＺＡＣ系列を割り当てる既存の方法では、ＣＡＺＡＣ系列処理が行われることになっているときに、セルのためのＣＡＺＡＣ系列の割り当てが時間／周波数リソースの各占有モードに関する信号伝送によって実施される必要があり、セルへのＣＡＺＡＣ系列割り当ての信号伝達が多数の無線ネットワークリソースを占有する。
【００１７】
２．異なるセルにおけるＣＡＺＡＣ系列の時間／周波数リソースの占有モードが相互に部分的に重なり合うときに、セル間に比較的強い信号が干渉し得ることが考慮されない場合。ＣＡＺＡＣ系列割り当ての既存の手順では、異なるセルにおいて割り当てられることになるＣＡＺＡＣ系列の時間／周波数リソースの占有モードが完全に同じでないとき、セル間には強い信号干渉が生じないとみなされる。したがって、ＣＡＺＡＣ系列割り当て時に、異なるセルに割り当てられた時間／周波数リソースの異なる占有モードに対応するＣＡＺＡＣ系列間の相関は考慮されない。例えば、図２および図３に示すように、セルＡとセルＢにおける系列の時間／周波数リソースの占有モードが相互に部分的に重なり合う場合、セルＡとセルＢに割り当てられたＣＡＺＡＣ系列の相関値が比較的高いとき、セルＡとセルＢとの間には比較的強い信号干渉が生じる。
【００１８】
本発明の実施形態では、システムが系列グループをセルに割り当て、各系列グループ内の系列は複数の下位グループに分割される。各下位グループは時間／周波数リソースの占有モードに対応する。通信システムにおいて下位グループの数は時間／周波数リソースの占有モードの数と同じである。各下位グループ内の系列は、その下位グループに対応する候補系列の集合の中から選択することによって取得される。ユーザまたは通信路（チャネル）は、割り当てられた系列グループおよび用いられる特定の伝送信号の時間／周波数リソースの占有モードに従って、送信または受信するために対応する系列下位グループ内の系列を選択する。１つの下位グループには１つ以上の系列がある。
【００１９】
図４は本発明の一実施形態による通信システムにおける系列割り当ておよび処理方法の流れを示す概略図である。
【００２０】
図４に示すように、ステップ４０１で、複数の系列を含む系列グループが生成され、複数の系列を含む１つ以上の系列グループがセルに割り当てられる。系列グループ内の系列は、システムによってサポートされる系列の時間／周波数リソースの占有モードに従って決定される。系列の時間／周波数リソースの占有モードは、その系列を搬送する時間／周波数リソースのモード、すなわち、系列と時間／周波数リソースとの間の対応関係である。複数の系列を含む系列グループをセルに割り当てることにより、割り当てられた系列グループが、セルの識別情報または系列グループの識別情報を介して通知され、そのため、セルのための系列の割り当てが、時間／周波数リソースの異なる占有モードに関する信号伝送によって実施されることが必要とされる現象が回避され、系列割り当ての過程で占有される無線ネットワーク転送リソースが節約される。
【００２１】
送信対象の系列によって占有され得る異なる時間／周波数リソースについて、本発明の解決手段によって提供される系列グループ内の複数の系列の構成方法は、これらの系列が確実に以下の特性、即ち、これらの系列が対応する時間／周波数リソースを占有するときには、これらの系列間の相関が比較的高いという特性を有するようにすることを含む。
【００２２】
言い換えると、対応する時間／周波数リソースを占有しているときには、相互間の相関が比較的高い系列がグループを構成する。
【００２３】
上記原理に従って異なるグループが構成されると、対応する時間／周波数リソースを占有した後、異なるグループの系列の相互間の相関を確実に比較的小さくすることができる。
【００２４】
次いでフローはステップ４０２に進む。セルに系列グループを割り当てる機能は、セル内のユーザまたは通信路に系列グループを割り当てることを含む。
【００２５】
ステップ４０２でユーザ端末が、系列を送信するなどの系列処理を実行する必要があるとき、ユーザ端末は、現在のセルに割り当てられた系列グループを決定（特定）し、送信される必要がある系列の時間／周波数リソースの占有モードに従って現在のセルの系列グループ内の送信対象の系列の情報を決定し、次いで送信される必要がある系列の情報に従って対応する系列を生成する。例えばユーザ端末は、送信される必要がある系列の識別情報を決定し、前記識別情報に従って対応する系列を生成する。このステップでユーザ端末は、セルＩＤ情報などのセル情報に従って現在のセルに割り当てられた系列グループを決定してもよい。代替的にはユーザ端末は、現在のセルに割り当てられた系列グループのＩＤ情報に従って現在のセルに割り当てられた系列グループを決定してもよい。次いでフローはステップ４０３に進む。ステップ４０３でユーザ端末は生成された系列を信号変調に使用し、変調された信号を送信する。
【００２６】
ネットワークが系列を受信するなどの系列処理を実行する必要があるとき、ステップ４０２で、ネットワークは対応するセルに割り当てられた系列グループを決定し、受信される必要がある系列の時間／周波数リソースの占有モードに従って現在のセルの系列グループ内の受信対象の系列の情報を決定し、次いで、受信される必要がある系列の情報に従って対応する系列を生成する。例えばネットワークは、受信される必要がある系列の識別情報を決定し、前記識別情報に従って対応する系列を生成する。このステップでは、ネットワークは、セルＩＤ情報などのセル情報に従ってセルに割り当てられた系列グループを決定してもよい。代替的にはネットワークは、現在のセルに割り当てられた系列グループのＩＤ情報に従って現在のセルに割り当てられた系列グループを決定してもよい。次いでフローはステップ４０３に進む。ステップ４０３でネットワークは、生成された系列を系列受信に使用する。例えばネットワークは、生成された系列と受信信号を使って相関計算を行う。
【００２７】
上記実施形態の説明では、セルに１つの系列グループが割り当てられてもよく、セルに複数の系列グループが割り当てられてもよい。割り当てられた系列グループはセル特定のものである。すなわち異なるセルには異なる系列グループが割り当てられてもよい。
【００２８】
系列グループ内の系列は、それらの系列の時間／周波数リソースの占有モードに従って決定される。系列グループは、対応する時間／周波数リソースを占有する系列間の相関に従って構成されてもよい。言い換えると、相互間の相関値が比較的大きい系列が系列グループに構成されることができる。相関値が互いに比較的大きい系列は、最大相関値を有する候補系列中のｎ系列を指し、ｎは候補系列の総数より小さい。例えば、候補系列は相関値に関して大きいものから小さいものへと順に配列され、１番目に大きい相関値、２番目に大きい相関値、…、ｎ番目に大きい相関値を有する各系列が最大相関値を有するｎ系列であり、ｎは１であってもよい。このようにして取得される系列グループでは、異なる系列グループの系列間の相関値を確実に比較的小さくすることができる。このため、異なるセルにおける系列の時間／周波数リソースの占有モードが相互に部分的に重なり合う場合でも、セル間の信号干渉を確実に比較的小さくすることができる。
【００２９】
本発明の実施形態における系列グループ内の系列は、ＣＡＺＡＣ系列であってよい。ＣＡＺＡＣ系列は、Ｚａｄｏｆｆ−Ｃｈｕ系列であってもよく、ＧＣＬ（Ｇｅｎｅｒａｌ  ｃｈｉｒｐ−ｌｉｋｅ）系列などであってもよい。
【００３０】
Ｚａｄｏｆｆ−Ｃｈｕ系列を生成する式は、以下の式（１）に示すようなものであってもよい。
ａr,N（ｎ）＝ＷNn(n+N mod2)/2+qn，ｎ＝０，１，…，Ｎ−１
・・・式（１）
【００３１】
式中、ａr,N（ｎ）は、指数ｒを用いて生成された系列を表し、ｎは系列のｎ番目の要
素を表し、Ｎは系列の長さを表し、ＷN＝ｅｘｐ（−ｊ２πｒ／Ｎ）であり、ｒとＮとは
相対的に素な数であり、ｑは任意の整数である。
【００３２】
式（１）から、系列の長さがパラメータＮを使って制御されることができ、同じ長さを有する異なる系列の生成が指数ｒを使って制御されることができ、ｑがＺａｄｏｆｆ−Ｃｈｕ系列の巡回シフトに対応しうる、或いは異なるｑが異なる系列に対応するとみなしてもよいことが分かる。
【００３３】
本発明の実施形態では、系列の時間／周波数リソースの占有モードを用いて系列グループ内の系列が決定されるとき、系列グループ内の系列は、異なる系列に対応する異なる帯域幅の時間／周波数リソースに従って決定されてもよく、周波数領域において異なるサンプリング間隔を有し、サンプリング後に同じ帯域幅を有する異なる系列に対応する時間／周波数リソースに従って決定されてもよく、異なる系列に対応する異なる時間／周波数リソースブロックの位置に従って決定されてもよい。当然ながら、系列グループ内の系列は、時間／周波数リソースの他の占有モードに従って決定されてもよい。例えば系列グループ内の系列は、周波数領域において異なるサンプリング間隔を有し、サンプリング後に異なる帯域幅を有する時間／周波数リソースに従って決定されてもよい。本発明の実施形態は、系列の時間／周波数リソースの占有モードの特定の形を限定するものではない。
【００３４】
以下では、系列グループを生成し、系列グループ内の系列を決定し、系列をユーザ／通信路に割り当てる方法の具体的な実施プロセスを示す。
【００３５】
実施形態１
【００３６】
図２に示すように、異なる系列が異なる帯域幅を有する時間／周波数リソースに対応する場合、系列グループを生成し、系列グループ内の系列を決定する方法は以下のとおりであってもよい。
【００３７】
５ＭＨｚの帯域幅を有する時間／周波数リソースにおいて利用可能な副搬送波が合計１５０あるものと想定する。システムによってサポートされる系列の時間／周波数リソースの占有モードには２つのモードが含まれる。１つのモードでは、５ＭＨｚの帯域幅を有する時間／周波数リソースが、それぞれ１．２５ＭＨｚの帯域幅を有する４つの時間／周波数リソースに分割され、その場合ＣＡＺＡＣ系列の時間／周波数リソースの占有モードは、１．２５ＭＨｚの帯域幅を有する時間／周波数リソースの占有モードであり、すなわち、伝送帯域幅は１．２５ＭＨｚである。別のモードでは、ＣＡＺＡＣ系列の時間／周波数リソースの占有モードは５ＭＨｚの帯域幅を有する時間／周波数リソースの占有モードであり、すなわち、伝送帯域幅は５ＭＨｚである。
【００３８】
セルによって送信される変調信号は、ＣＡＺＡＣ系列の断片またはＣＡＺＡＣ系列の巡回拡張を用いてもよい。一般的には、様々な系列断片の様々な組み合わせが用いられ得る。特にセル内でＣＡＺＡＣ系列を搬送する副搬送波の数が素数でないとき、またはセルラーシステム内のセルが、より多くの異なるＣＡＺＡＣ系列を取得するために、より長いＣＡＺＡＣ系列を使用する必要があるとき、送信対象の系列は、系列断片または断片の組み合わせを使って形成されてもよい。
【００３９】
５ＭＨｚの伝送帯域幅では、利用可能な１５０の副搬送波に対応するＣＡＺＡＣ系列の長さは素数Ｎ＝１５１であってよく、ＣＡＺＡＣ系列の長さは１５０として切り取られてもよい。
【００４０】
１．２５ＭＨｚの伝送帯域幅では、利用可能な副搬送波の数は素数３７であってもよく、その場合、１．２５ＭＨｚの伝送帯域幅内の利用可能な３７の副搬送波に対応するＣＡＺＡＣ系列の長さは素数Ｎ＝３７であってもよい。
【００４１】
系列の時間／周波数リソースの占有モードが２つのモード、すなわち１．２５ＭＨｚの伝送帯域幅と５ＭＨｚの伝送帯域幅とを含み、１つの系列グループが２つのＺａｄｏｆｆ−Ｃｈｕ系列を含む場合、Ｚａｄｏｆｆ−Ｃｈｕ系列を使って系列グループおよび系列グループ内の系列を生成する過程は以下のとおりである。
【００４２】
長さ３７を有するＺａｄｏｆｆ−Ｃｈｕ系列では、系列指数はｒ＝ｂ1・ｋであり、式
中、ｂ1＝１、ｋ＝１，２，３，…，３４，３５，３６である。長さ１５０を有するＺａ
ｄｏｆｆ−Ｃｈｕ系列、すなわち長さ１５１を有するＺａｄｏｆｆ−Ｃｈｕ系列の断片では、系列指数はｒ＝ｂ2・ｋであり、式中、ｂ2＝４、ｋ＝１，２，３，…，１５０である。長さ３７を有するＺａｄｏｆｆ−Ｃｈｕ系列は、長さ１５０を有するＺａｄｏｆｆ−Ｃｈｕ系列に対して短い系列であり、長さ１５０を有するＺａｄｏｆｆ−Ｃｈｕ系列は、長さ３７を有するＺａｄｏｆｆ−Ｃｈｕ系列に対して長い系列である。
【００４３】
長い系列は１５０のＺａｄｏｆｆ−Ｃｈｕ系列を含んでもよく、短い系列は３６のＺａｄｏｆｆ−Ｃｈｕ系列を含んでもよい。同じｋを有する２つのＺａｄｏｆｆ−Ｃｈｕ系列が系列グループを構成し、異なるｋを有する他２つのＺａｄｏｆｆ−Ｃｈｕ系列が異なる系列グループを構成する。したがって、短い系列を繰り返し使用することが許可されないときには、上記長い系列と短い系列の積集合を求めることによって３６の系列グループが生成されてもよい。短い系列を繰り返し使用することが許可されるときには、１５０の系列グループが生成されてもよい。実際の計算時には、Ｎに関してｒのモジュール（剰余）演算が行われてもよく、ＮはＺａｄｏｆｆ−Ｃｈｕ系列の長さである。ｋ＝±３７，±７４のとき、ｒ＝（ｋ・ｂ1）  ｍｏｄ  ３７＝０であり、一方、ｒ＝０のとき、これはＺ
ａｄｏｆｆ−Ｃｈｕ系列に対応しない。したがって、ｋ＝±３７，±７４は廃棄されてもよい。このため、１４６の系列グループが生成されてもよい。
【００４４】
一般に、異なる系列が異なる帯域幅の時間／周波数リソースを占有するとき、すなわち、異なる系列の時間／周波数リソースの占有モードが異なるとき、２つの異なる帯域幅の時間／周波数リソースに対応する長い系列と短い系列の指数は、ｒi＝ｂi・ｋ＋δi，ｉ
＝１，２という関係を満たすはずである。式中、同じｋは同じ系列グループを示し、ｂi
，δiはその系列によって占有される時間／周波数リソースによって決定され、特殊な事
例がδi＝０であり、ｉ＝１，２は異なる時間／周波数リソースを区別するのに使用され
る。ｂ1，ｂ2は系列によって占有される時間／周波数リソースの比によって決定される。具体的には、ｂ1，ｂ2は、系列によって占有される副搬送波の数によって決定される。複数の選択肢が利用できる。１つの好ましい選択肢は、式ｂ1・Ｎ2−ｂ2・Ｎ1＝１に従ってｂ1，ｂ2を決定するものである。言い換えると、任意の系列について、まず、Ｎ1・ｂm−Ｎm・ｂ1＝１を得るためにｂm，ｂ1が決定され、次いで任意のｒ1＝ｋ・ｂ1について、ｒm＝ｋ・ｂm，−Ｎ1／２＜ｋ＜Ｎ1／２となる。このため、グループ内の系列間の対応関係が与えられる。下位グループｍ内の複数の系列が決定されるとき、その関係はｒ＝ｋ・ｂm±δであり、式中δは小さい整数である。
【００４５】
具体的には、それぞれ長さ１１、２３および３７を有するＺａｄｏｆｆ−Ｃｈｕ系列であり、３つのリソース占有モードに対応する合計３つの下位グループがあるものと想定する。Ｎ1＝１１のときには、合計１０の系列グループが生じる。以下の表が得られる。
【表１】
0005647177.tif 000002
【００４６】
実際の計算後に、表中の各系列間の相関が実際にかなり高いことが判明する。
【００４７】
１．２５ＭＨｚの帯域幅では、系列によって占有される副搬送波の数はＮ1＝３７であ
る。５ＭＨｚの帯域幅では、切り取られない系列によって占有される副搬送波の数はＮ2
＝１５１である。ｂ1とｂ2の決定時に、ｂ1とｂ2は３７／１５１に近い値に従って決定され、式ｂ1・Ｎ2−ｂ2・Ｎ1＝１に従って決定され、例えば、ｂ1＝２５、ｂ2＝１０２とされる。また、ｋ＝−Ｌ，−Ｌ＋１，…，−１，１，２，…，Ｌ−１，Ｌ、Ｌ＝（Ｎ1−１
）／２＝（３７−１）／２＝１８、δ1＝０、δ2＝±１，±２が選択される。代替的には、δ1＝δ2＝０、ｋ＝−Ｌ，−Ｌ＋１，…，−１，１，２，…，Ｌ−１，Ｌ、Ｌ＝（Ｎ2
−１）／２＝（１５１−１）／２＝７５、およびｋ≠ｍ・３７、ｍは整数ｍ＝０，±１，±２が選択されてもよい。ｋおよびｋ＋ｍ・３７の系列グループに含まれる長さ３７を有する系列は同じであるが、これらの系列グループに含まれる長さ１５１を有する系列は同じでない。
【００４８】
本発明の実施形態によれば、３６の系列グループが生成されてもよく、各系列グループには長さ１５１を有する１つ以上の系列が生じてもよい。３６の系列グループが生成されようと、１４６の系列グループが生成されようと、系列グループが生成された後には、異なる系列グループが異なるセルに割り当てられることができる。
【００４９】
具体的には、ＣＡＺＡＣ系列の断片やＣＡＺＡＣ系列の巡回拡張などの系列グループ内の系列が周波数領域などの領域で搬送されるとき、巡回シフト処理は系列グループ内の系列の別の領域で行われてもよい。巡回シフト後に生成される新しい系列は、この系列グループ内の系列として使用されてもよく、前記別の系列グループ内の系列として使用されてもよい。例えば、系列グループ内のＣＡＺＡＣ系列の断片が周波数領域で搬送される場合、系列グループ内のＣＡＺＡＣ系列のこの断片に対して離散逆フーリエ変換が行われてもよく、時間波形、すなわち、時間領域の系列が取得される。次いで時間領域の系列が巡回シフトされて前記時間領域に１つ以上の系列が生成され、前記時間領域のこれらの系列は、この系列グループまたは他の系列グループ内の系列として使用される。
【００５０】
巡回シフトによって生成された系列が異なる系列グループに割り当てられるとき、巡回シフト後に生成された系列は複数の系列であるとみなされる。このため、系列グループ内の系列が異なる方法で巡回シフトされるときには、異なる系列グループが取得されうる。
【００５１】
前述の巡回シフトは、系列の後部セグメントが系列の前の部分に複写されることを意味する。例えば、元のＣＡＺＡＣ系列の断片が時間領域に変換され、長さｓを有する時間波形、すなわち、系列ａ0，ａ1，…，ａs-1を形成するとき、巡回シフト後にこれは、ａp+1，ａp+2，…，ａs-1，…，ａ0，ａ1，…，ａpに変換されてもよく、ｐは０，１，２，…
，ｓ−１の中から選択される整数であってもよい。
【００５２】
異なる系列に対応する時間／周波数リソースブロックの位置が異なる場合には、系列グループを構成し、系列グループ内の系列を決定する方法は以下のとおりであってもよい。
【００５３】
本発明の実施形態では、１．２５ＭＨｚの伝送帯域幅を有する上記４つの時間／周波数リソースブロックの位置は異なる。言い換えると、時間／周波数リソースの４つの異なる占有モードがある。１．２５ＭＨｚの伝送帯域幅では、利用可能な副搬送波の数が素数３７であってもよいため、１．２５ＭＨｚの伝送帯域幅において利用可能な３７の副搬送波に対応するＣＡＺＡＣ系列の長さは素数Ｎ＝３７であってもよい。そのため３６の系列グループが生成されてもよい。３６の系列グループを構成する具体的プロセスは上記第１の実施形態に説明したとおりである。各系列グループはＣＡＺＡＣ系列を含み得る。系列グループ内のＣＡＺＡＣ系列が基礎系列として使用される場合、基礎系列に対して巡回シフトが行われ、巡回シフト後の系列が、依然として対応する基礎系列が存在する系列グループ内の系列とみなされる場合には、系列グループ内に複数の系列が含まれ得る。例えば、基礎系列に対して４つの異なる巡回シフトが行われ、巡回シフト後に４つの系列が取得される。巡回シフト後の４つの系列と基礎系列は、同じ系列グループ内の系列として使用される。このため、１つの系列グループが５つの系列を含みうる。
【００５４】
本発明の実施形態では、同じ系列が、異なる位置を有する１．２５ＭＨｚの伝送帯域幅の上記４つの時間／周波数リソースブロックに使用される場合、すなわち、系列グループ内の系列の決定時に、系列の時間／周波数リソースブロックの異なる位置が考慮されない場合が除外されない。この場合、系列グループ内には２つのＣＡＺＡＣ系列が生じ得る。
【００５５】
異なる系列が、図３に示す例のように、異なるサンプリング間隔を有し、サンプリング後に同じ帯域幅を有する時間／周波数リソースに対応する場合、系列グループを構成し、系列グループ内の系列を決定する方法は以下のとおりである。
【００５６】
図３に示す事例では、システムによってサポートされる系列の時間／周波数リソースの占有モードは以下の２つのモードを含む。
【００５７】
モード１：１０ＭＨｚの帯域幅を有する時間／周波数リソースが５ＭＨｚの帯域幅を有する２つの時間／周波数リソースに分割される。
【００５８】
モードＩ２：サンプリング間隔２の間に、５ＭＨｚの帯域幅を有する時間／周波数リソースが、１０ＭＨｚの帯域幅を有する時間／周波数リソースからのサンプリングによって取得される。
【００５９】
以下では、のにＺａｄｏｆｆ−Ｃｈｕ系列を例にとり、同じ系列グループ内で生成されるＺａｄｏｆｆ−Ｃｈｕ系列を説明する。
【００６０】
Ｎ＝１５１であり、ｒ＝ｋであり、長さ１５０を有する系列が切り取りによって取得され、５ＭＨｚの帯域幅に対応するＺａｄｏｆｆ−Ｃｈｕ系列の断片が生成されるものと想定する。
【００６１】
Ｎ＝１５１であり、ｒ＝４・ｋであり、長さ１５０を有する系列が切り取りによって取得され、サンプリング間隔２を有する１０ＭＨｚの帯域幅に対応するＺａｄｏｆｆ−Ｃｈｕ系列の断片が生成されるものと想定する。
【００６２】
前述のｋは１から１５０までの間の自然数である。言い換えると、伝送５ＭＨｚの帯域幅と、サンプリング間隔２を有する１０ＭＨｚの帯域幅には、１５０の系列グループが生成され得る。同じ系列グループ内の異なるサンプリング間隔を有する時間／周波数リソースに対応するＺａｄｏｆｆ−Ｃｈｕ系列の指数は、サンプリング間隔の二乗に正比例する。
【００６３】
本実施形態では、異なるｋが異なる系列グループに対応する。１系列グループ内に２つのＣＡＺＡＣ系列があってもよく、巡回シフトにより２つのＣＡＺＡＣ系列を用いてより多くのＣＡＺＡＣ系列が生成されてもよい。ｋが同じであるとき、巡回シフトによって取得される系列は、値ｋを有する系列グループ内の系列とみなされ得る。巡回シフト後に取得されるＣＡＺＡＣ系列は基礎系列の系列グループと同じ系列グループ内にあってもよい。代替的には、巡回シフト後に取得されるＣＡＺＡＣ系列は、基礎系列の系列グループと異なる系列グループ内にあってもよい。
【００６４】
一般に、ＣＡＺＡＣ系列理論によれば、長さＭを有するＣＡＺＡＣ系列ａi、ｉ＝０，
…，Ｍ−１について、サンプリング間隔がｓであり、Ｍとｓが相対的に互いに素である場合、ａ(si) mod M、ｉ＝０，１，…，Ｍ−１はＣＡＺＡＣ系列である。サンプリング間隔ｓ1およびｓ2では、２つの系列、
【数１】
0005647177.tif 000003
は同じグループ内にあり、それぞれ時間／周波数リソースの異なるサンプリング間隔に対応する。上記Ｚａｄｏｆｆ−Ｃｈｕ系列は一例にすぎない。
【００６５】
ある時点において、システムによってサポートされる系列の時間／周波数リソースには２つ以上の占有モードが生じることもある。例えば、系列の時間／周波数リソースの占有モードは、図２および図３に示すように、それぞれ、１．２５ＭＨｚの帯域幅を占有する副搬送波、５ＭＨｚの帯域幅を占有する副搬送波、および１０ＭＨｚの帯域幅とサンプリング間隔２を有する取得される副搬送波であってもよい。このとき、系列グループが各セルに割り当てられるとき、系列の指数ｒの値は以下のとおりである。
【００６６】
時間／周波数リソースの異なる占有モードに対応する指数ｒiおよびｒjは、関係式
【数２】
0005647177.tif 000004
を満たし、式中、ｇiとｇjは、２つのリソース占有モードで、周波数領域の副搬送波ｇi
および副搬送波ｇjごとに１つの副搬送波を占有することを表し、ｂi／ｂjは２つのリソ
ース占有モードの実際に占有される帯域幅の比によって決定される値を表す。一般に、ｂi／ｂjは、具体的には、系列を搬送する副搬送波の数の比によって決定される値であってもよい。
【００６７】
１．２５ＭＨｚの帯域幅をカバーする占有副搬送波のモードにおいて、Ｎ＝３７では、ｒ1＝ａ1・ｋ、ａ1＝１であり、可能な最大のｋは３６である。他の２つのリソース占有
モードと比べてこのモードでは、
【数２】
0005647177.tif 000005
が満たされるという条件下でａm、ｍ＝２，３の選択が行われるとき、ｂ1＝３６、ｂ2＝
１５０、ｂ3＝１５０が選択され、その場合、以下が取得され得る。すなわち、５ＭＨｚ
の帯域幅をカバーする占有副搬送波を有するセルではｒ2＝ａ2・ｋ、ａ2＝４に設定する
必要があり、最大のｋは１５０である。１つの副搬送波が２つの副搬送波ごとに占有され、これらの副搬送波が１０ＭＨｚの帯域幅をカバーするモードと比べる場合、ｒ3＝ａ3・ｋ、ａ3＝１６であることが必要とされ、最大のｋは１５０である。しかしいずれの場合
にも、最終的には繰り返されない３６のｒ／Ｎの値だけが取得される。したがって、これら３つの場合において干渉が比較的小さいことを満足させるべきである場合、割り当てに利用できる系列グループは３６しかない。一般に、割り当てに利用できる系列グループの数は、最短の系列から取得される系列の数に関連する。
【００６８】
シミュレーションにより、本発明の実施形態に従って設計された異なる系列グループ内の系列に対応する時間／周波数リソースが相互に部分的に重なり合うとき、系列が対応する時間／周波数リソースにおいて変調されると、変調された系列間の相関は比較的小さく、同じ系列グループ内の系列間の相関は比較的大きくなることが判明している。したがって、セルラーシステムの計画では、異なる系列グループが異なるセルに割り当てられると、異なるセルの系列間の相関が小さくなることが保証されうるので、セル間の信号干渉が小さくなる。
【００６９】
ある１つのセルについて、本発明の実施形態によれば、このセルには１つ以上の系列グループが割り当てられてもよい。セルに割り当てられる系列グループの数は、ネットワークの実際の状況に従って決定されてもよい。
【００７０】
図５に、２つの系列グループの系列間の相関を示す。図５の（３７，１）、（３７，２）などは、長さＮを有する系列内のｒ番目の系列を示す（Ｎ，ｒ）を表す。図５から、Ｎ＝３７の系列では、自己相関の値（ゼロシフト位置における自己相関値３７を除き、他のシフト位置では自己相関値は０である）および相互相関（相互相関値はいかなるシフト位置でも√３７である）は非常に小さいことが分かる。一方、Ｎ＝３７の系列の断片とＮ＝１５１の系列の断片との間の相関は、系列を決定するｒの値に関連する。Ｎ＝３７、ｒ＝１の系列とＮ＝１５１、ｒ＝４の系列との間には比較的高い相互相関値があり、最大相互相関値は約２８であることが分かる。これら２つの系列は同じ系列グループに属する。一方、Ｎ＝３７、ｒ＝１の系列とＮ＝１５１、ｒ＝２の系列との間には比較的小さい相互相関値があり、最大相互相関値は約１１である。これら２つの系列は異なる系列グループに属する。
【００７１】
同様に図６にも２つの系列グループの系列間の相関を示す。図６の（１５１，１），（１５１，２）などは、長さＮを有する系列内のｒ番目の系列を示す（Ｎ，ｒ）を表す。図６から、Ｎ＝１５１の系列では、自己相関の値（ゼロシフト位置における自己相関値１５１を除き、自己相関値は他のシフト位置では０である）および相互相関（相互相関値はいかなるシフト位置でも√１５１である）は非常に小さいことが分かる。一方、Ｎ＝１５１の系列内の長さ７５を有する断片とサンプリング後に組み合わされた断片との間の相関は、系列を決定するｒの値に関連する。Ｎ＝１５１、ｒ＝１の系列とＮ＝１５１、ｒ＝４の系列との間には比較的高い相互相関値があり、２つのシフト位置において相互相関ピーク値約５０が生じることが分かる。一方、Ｎ＝１５１、ｒ＝１の系列とＮ＝１５１、ｒ＝２の系列との間には比較的小さい相互相関値があり、相互相関値はあらゆるシフト位置において√１５１より小さく、これは異なる系列グループの系列間の相関が比較的小さいことを示している。
【００７２】
実施形態２
【００７３】
システムに異なる帯域幅を有する複数の伝送信号があるとき、すなわち、システムにおいてサポートされる系列の時間／周波数リソースの占有モードが複数の異なる帯域幅であるとき、系列グループ内の２つの系列は以下の方法で構成され得る。
【００７４】
時間／周波数リソースの占有モードがＮ（個の）副搬送波を占有するモードであり、依然として時間／周波数リソースの別の占有モードがＭ副搬送波を占有するモードであるとき、長さＭ×Ｎを有するＣＡＺＡＣ系列ｃi＝ａi mod M・ｂi mod N、ｉ＝０，１，…，
ＭＮ−１は、長さＭを有するａ0，ａ1，…，ａM-1、すなわち系列ａiと、長さＮを有するｂ0，ｂ1，…，ｂN-1、すなわち系列ｂiに従って構成され、系列ｂiおよびｃiは同じ系列グループに属する。
【００７５】
その場合、系列ｂiに対応する時間／周波数リソースの占有モードはＮ副搬送波の占有
であり、系列ｃiに対応する時間／周波数リソースの占有モードはＭ×Ｎ副搬送波の占有
である。ＭとＮが互いに素であるとき、上記方法に従って構築された系列は依然としてＣＡＺＡＣ特性を満たす。
【００７６】
例えば、上記実施形態は図２に示す適用シナリオにおいて用いられ得る。あるセルにおける１．２５ＭＨｚの帯域幅の時間／周波数リソースは、長さ３７を有するＺａｄｏｆｆ−Ｃｈｕ系列ｂiに対応し、一方、別のセルにおける時間／周波数リソースに対応するＺ
ａｄｏｆｆ−Ｃｈｕ系列は、長さ３７を有する系列ｂiと長さ４を有するＺａｄｏｆｆ−
Ｃｈｕ系列ａiとで構築される長さ１４８を有するＺａｄｏｆｆ−Ｃｈｕ系列である。実
際の適用では、副搬送波の数を一致させるために、ある程度の系列の切り取りまたは補完が必要になる。両セルが同じｂiに対応する系列を使用する、すなわち同じ系列グループ
内の系列を使用する場合、系列間の相関値は比較的大きい。両セルが異なるｂiに対応す
る系列を使用する、すなわち異なる系列グループ内の系列を使用する場合、系列間の相関は比較的小さい。
【００７７】
Ｚａｄｏｆｆ−Ｃｈｕ系列では、ＭとＮが互いに素である場合、上記操作によりそれぞれ長さＭとＮとを有する２つのＺａｄｏｆｆ−Ｃｈｕ系列を用いて取得される系列は、長さＭＮを有するＺａｄｏｆｆ−Ｃｈｕ系列であることが判明している。その証明は以下のとおりである。
【数３】
0005647177.tif 000006
【００７８】
上記式は、ＭとＮがどちらも奇数であるときに当てはまる。
【００７９】
ＭとＮにおいて一方が奇数、一方が偶数であり、差が１巡回シフトだけであるときにも、上記式は当てはまる。その証明は以下のとおりであり、式中、Ｍは奇数であり、Ｎは偶数であるとする。
【数４】
0005647177.tif 000007
【００８０】
ｒ1とＭが互いに素であり、ｒ2とＮが互いに素であるため、Ｎｒ1＋Ｍｒ2とＭ+Ｎは互
いに素である。したがってこの系列はＺａｄｏｆｆ−Ｃｈｕ系列である。
【００８１】
一般に、長さＭを有し、
【数５】
0005647177.tif 000008
であり、ｐiが異なる素数であるＺａｄｏｆｆ−Ｃｈｕ系列では、この系列は、長さ
【数６】
0005647177.tif 000009
の複数のＺａｄｏｆｆ−Ｃｈｕ系列の乗算によって取得される。
【００８２】
上記方法は以下のように要約されることができる。時間／周波数リソースの３つの占有モードがあり、１つの時間／周波数リソースの占有モードが短い系列ａに対応し、１つの時間／周波数リソースの占有モードが短い系列ｂに対応し、最後の時間／周波数リソースの占有モードが長い系列ｃに対応し、長い系列ｃが短い系列ａと短い系列ｂとの乗算によって取得されるとき、系列グループ内の系列の決定時に以下の方法が使用され得る。
【００８３】
長い系列ｃと短い系列ｂは同じ系列グループ内の系列として使用され、このとき長い系列ｃの時間／周波数リソースの占有モードは短い系列ｂの時間／周波数リソースの占有モードとは異なる。
【００８４】
当然ながら、長い系列ｃと短い系列ａが同じ系列グループ内の系列として使用されてもよく、このとき長い系列ｃの時間／周波数リソースの占有モードは短い系列ａの時間／周波数リソースの占有モードとは異なる。
【００８５】
実施形態３
【００８６】
本発明の実施形態では、セルへの１つ以上の系列の割り当て時に、ランダム割り当てモードまたは静的計画モードを使ってセルに系列グループが割り当てられてもよい。セルへの系列の割り当てに静的計画モードが使用されるとき、セルに割り当てられる系列グループは、経時的に変化する、または変化しない固定の１つ以上の系列である。
【００８７】
動的割り当てモードでセルに系列グループを割り当てる実施プロセスを以下に示す。
【００８８】
５ＭＨｚの帯域幅をカバーするシステムでは、５ＭＨｚの帯域幅を有する周波数帯域が２５の基本単位に均一に分割されてよく、系列変調を用いて取得される信号のスケジューリング帯域幅は、１基本単位、２基本単位、…、または２５基本単位であってよい。このため、システムでは、これらのスケジュール可能な帯域幅の基本単位の組み合わせに対応する２５の異なる長さを有する系列が必要とされる。２５の異なる長さを有する各系列の長さがｌ1，ｌ2，…，ｌ25を使って表され、各長さｌiの系列の数がＮiで表されるとき、異なる長さｌiの各系列には、ｒi,0，ｒi,1，…，ｒi,25と番号が付与される。１つの系
列グループは２５系列を含む必要があり、２５系列は
【数７】
0005647177.tif 000010
で表され、ｋは系列グループの指数であり、ｍｏｄはモジュール演算であり、ｋ  ｍｏｄ
Ｎiは、系列グループの下位グループｉ内の系列の指数ｒi*を決定し、＊＝ｋ  ｍｏｄ
Ｎiである。
【００８９】
本発明の実施形態では、セルの特定の擬似ランダムモードを使って、セルに割り当てられる系列グループが決定されてもよい。例えばこの擬似乱数は、現在の系列が位置するタイムスロットの番号やユーザＩＤなどの情報に従って生成されてもよく、擬似乱数は系列グループの指数ｋに対応する。その場合、系列の長さ、すなわちｌiは、系列によって占
有される周波数帯域の幅に従って決定され、ｋと番号付けされた選択された系列グループ内のこの長さの系列の指数は、
【数８】
0005647177.tif 000011
によって取得され、式中、ｍｏｄはモジュール演算である。言い換えると、セルに割り当てられる系列グループはモジュール演算法において実現される。ユーザ端末／ネットワークは、系列送信、系列信号受信などの信号処理に系列グループ内の系列を使用し得る。
【００９０】
擬似乱数はシフトレジスタにより生成されてもよい。擬似乱数系列は、一般のバイナリフィールドまたはＧＦ（ｑ）におけるＭ系列やゴールド系列などであってもよい。異なるセルは、擬似乱数系列を発生させるために、異なる初期状態のシフトレジスタを使用してもよく、又は異なるやり方でシフトされた系列を使用してもよい。シフトレジスタのｋ状態（ａ1，ａ2，…，ａk）は系列グループの指数に対応する。シフトレジスタが回るたび
に、すなわちシフト演算が行われるたびに、シフトレジスタの状態が変化して、新しい状態が生成される。この新しい状態は、次の時点で使用される系列グループの指数に対応し得る。
【００９１】
本発明の実施形態では、セルグループで特定の擬似ランダムモードが系列グループの割り当てに使用されてもよい。例えば、ノードＢの配下の３つのセルが１つのセルグループとみなされてもよく、このセルグループ内の３つのセルは同じ擬似乱数系列を使って割り当てられた系列グループを決定してもよい。異なるセルが、時間領域において選択された系列を異なるやり方でシフトさせることにより、送信対象の直交化信号など、処理される必要がある系列を取得してもよい。代替的には、異なるセルが、処理される必要がある系列を取得するために、同じ時間／周波数リソースの占有モードに対応し、相関の小さい系列グループ内の複数の異なる系列の中から系列を選択してもよい。
【００９２】
系列グループの割り当てにセルグループ特定の擬似ランダムモードが使用されるときには、セルグループによって異なる擬似乱数系列を使用してもよい。例えば、異なるノードＢの異なるセルグループが異なる擬似乱数系列を使用してもよい。
【００９３】
系列グループ内の複数の系列が時間／周波数リソースの占有モードに対応するときには、ランダムモードを使ってユーザに系列が割り当てられてもよい。例えば、時間／周波数リソースの占有モードｉが系列グループ内のｎ系列に対応し、これらのｎ系列には、指数ｒの小から大への順序に従って、または他の特定の順序に従って、０、１、２、…、ｎ−１と番号が付与される。系列の処理時に、時間／周波数リソースの占有モードｉに対応する系列は、Ｘが乱数であるモジュール演算（Ｘ  ｍｏｄ  ｎ）によって取得される指数に従って決定される。乱数Ｘは系列によって占有されるタイムスロットまたはサブフレームの変化と共に変化し得る。乱数Ｘはこの場合、乱数系列であってもよい。時間／周波数リソースの占有モードに対応する系列は、基礎系列および異なる巡回シフトによって生成される系列の少なくとも一方であってもよい。同様に、本発明の実施形態では、系列グループがモジュール演算法によって複数の下位グループに分割されてもよく、これらの系列下位グループは、擬似ランダム方式で選択され、割り当てられてもよい。
【００９４】
本発明の実施形態では、系列グループの構成および割り当てのプロセスは、システムにおける系列の時間／周波数リソースのいくつかの占有モードに関連して実行されてもよい。すなわち、系列グループの構成プロセスは、システムにおける系列の時間／周波数リソースのすべての占有モードについて実行されなくてもよい。例えば、系列の長さに従って、系列の時間／周波数リソースの占有モードは複数のクラスに分類されてもよく、各クラスの系列の時間／周波数リソースの占有モードの集合はある一定の範囲内の長さを有する系列に対応する。系列グループの生成および割り当ての上記処理は、各クラスの集合に対応する系列について実行されてもよい。
【００９５】
系列の時間／周波数リソースの異なる占有モードの集合に対応する系列グループでは、セルに異なる系列グループを割り当てるのにそれぞれ、動的または静的割り当てモードが使用され得る。例えば、系列によって占有された無線リソースが比較的少ないときには、セルに系列グループを割り当てるのに動的割り当てモードが使用されてもよい。この場合、系列の長さが比較的小さく、系列グループの指数が比較的小さいため、動的割り当てモードを使ってセルに系列グループが割り当てられるときのセルによる系列使用の要件が満たされ得る。動的割り当てモードでセルに系列グループを割り当てる実施プロセスは以下のとおりである。Ｚａｄｏｆｆ−Ｃｈｕ系列を例にとる実施形態では、擬似ランダムモードのうちの１つが使用される。系列により変調された信号の送信時に、系列グループの指数がランダムに選択され、次いで前述のモードの１つを使って、同じ系列グループ内の対応する長さの下位グループに属する系列指数ｒを有する系列が計算される。
【００９６】
別の例では、系列が多くの無線リソースを占有するときに、セルに系列グループを割り当てるのに静的割り当てモードが使用される。例えば、例としてＺａｄｏｆｆ−Ｃｈｕ系列が使用される実施形態では、系列グループの数Ｎが各系列を使用するセルの要件を満たすことができる場合、Ｎ系列グループが使用されるために異なるセルに割り当てられる。このとき、セルに割り当てられる系列グループは時間が変化するに従って変更される必要はなく、セル間の信号干渉を平均化する要件も満たすことができる。
【００９７】
好ましくは、系列によって占有される無線リソースはシステムにおいて２つのクラスに分類され、系列グループがそれぞれ構成されてもよい。一方のクラスでは、系列は多くの無線リソースを占有し、このクラスのセルに系列グループを割り当てるには静的割り当てモードが使用され得る。他方のクラスでは、系列はわずかな無線リソースしか占有せず、このクラスのセルに系列グループを割り当てるには動的擬似ランダムモードが使用され得る。例えば、系列によって占有される時間／周波数リソースが１４４の副搬送波を超えるとき、この系列の長さは１４４以上である。系列によって占有される時間／周波数リソースが１４４副搬送波を超える場合には、セルに系列グループを割り当てるのに静的割り当てモードが使用され得る。系列によって占有される時間／周波数リソースが１４４副搬送波より少ないとき、この系列の長さは１４４より小さい。系列によって占有される時間／周波数リソースが１４４副搬送波より少ない場合には、セルに系列グループを割り当てるのに動的擬似ランダムモードが使用され得る。
【００９８】
上記実施形態では、系列グループを生成し、系列グループ内の系列を構成するプロセスは、システムにおいてサポートされる系列の時間／周波数リソースの異なる占有モード、ならびに静的割り当てや動的割り当てなどの規則に従って実施される。本発明の上記実施形態で説明される、系列グループを生成し、系列グループ内の系列を構成する動作は、システム内のすべてのセルに実施され得る。このとき、系列グループを生成し、系列グループ内の系列を構成するモードを、セルの共通グループ化モードという。しかし、使用のために系列が選択されるとき、系列グループの選択はセル特定の擬似ランダムモードに従って行われうるため、セル特定の乱数系列が、ＣＡＺＡＣ系列が搬送される異なるタイムスロットにホップし得るので、ある特定の短い系列が、必ずしも近隣のセルにおけるある長い系列とともに現れるとは限らない。このため、長期的に見れば、セル間の信号干渉はランダムであり、そのため２つのセル間の強い信号干渉が回避され得る。
【００９９】
上記実施形態は、系列グループ内の系列がＺａｄｏｆｆ−Ｃｈｕ系列から生成されるＣＡＺＡＣ系列であることを例に説明されている。しかし、本発明の実施形態における系列は、また別の系列生成方法によって生成されるＣＡＺＡＣ系列であってもよい。例えばＣＡＺＡＣ系列は、汎用チャープ状系列（ＧＣＬ系列）を用いて生成されてもよい。ＧＣＬ系列は以下のように表わすことができる。
ｃ（ｎ）＝ａ（ｎ）ｂ（ｎ  ｍｏｄ  ｍ）、ｎ＝０，１，…，Ｎ−１
【０１００】
Ｎ＝ｓｍ2であり、ｓもｍも正の整数である場合、｛ｂ（ｎ）｝は「変調」系列であり
、この系列内のｍ要素はすべて、ＤＦＴ系列などの、モジュール（剰余）１の複素数であり、ｂi（ｎ）＝Ｗmin、ｉ，ｎ＝０，１，…，ｍ−１である。｛ａ（ｎ）｝は特殊な「搬送波」系列であり、これはＺａｄｏｆｆ−Ｃｈｕ系列であってもよい。さらに、｛ｂ（ｎ）｝はアダマール（Ｈａｄａｒｍａｒｄ）系列であってもよく、すなわち｛ｂ（ｎ）｝は１行のアダマール行列である。ｍ次のアダマール行列Ｈmはｍ×ｍ次の行列である。行列
の各要素は１と−１で構成され、行列Ｈｍは、式、ＨmＨmT＝ｍＩを満足させ、式中、Ｉ
は単位行列であり、Ｔは行列転置を表す。ｍ＝２nであり、ｎが正の整数であるとき、ア
ダマール系列は以下のとおりである。
【数９】
0005647177.tif 000012
【０１０１】
式中、ｉl、ｎlは、それぞれ、長さｍビットを有するｉ、ｎの２進表現の第ｌビットである。
【０１０２】
ＧＣＬ系列を使って生成されるＣＡＺＡＣ系列の場合の、系列グループを生成し、セルに系列を割り当てる具体的な実施プロセスは、基本的に上記実施形態で説明した実施プロセスと同じであり、このため詳細な説明は繰り返さない。
【０１０３】
特に注目すべき他の点は、上記実施形態におけるＣＡＺＡＣ系列はＣＡＺＡＣ系列に対する切り取りを行うことによって生成される系列であってもよく、或いはＣＡＺＡＣ系列の断片をＣＡＺＡＣ系列と組み合わせることによって生成される系列であってもよい。
【０１０４】
実施形態４
【０１０５】
上記方法の実施形態は、図７に示す通信システムを用いて実施されてもよく、この通信システムは、系列割り当てユニット７０１、セル系列決定ユニット７０２、時間／周波数リソース系列決定ユニット７０３、系列生成ユニット７０４、および処理ユニット７０５を含む。
【０１０６】
系列割り当てユニット７０１は、複数の系列を含む系列グループをセルに割り当て、システムにおいてサポートされる系列の時間／周波数リソースの占有モードに従って系列グループ内の系列を決定するよう構成されている。系列グループ、時間／周波数リソースの占有モードなどは、上記方法の実施形態において説明したとおりである。
【０１０７】
セル系列決定ユニット７０２は、セルの情報または系列グループの識別情報に従って利用可能な系列グループを決定するなど、利用可能な系列グループを決定するよう構成されている。セル系列決定ユニット７０２は上記方法の実施形態で説明したように複数のモードを用いて生成される必要がある系列を決定してもよく、この説明はここでは繰り返さない。
【０１０８】
時間／周波数リソース系列決定ユニット７０３は、時間／周波数リソースの占有モードに従ってセル系列決定ユニット７０２によって決定された系列グループの中から、生成される必要がある系列を決定するよう構成されている。時間／周波数リソース系列決定ユニット７０３は、上記方法の実施形態で説明したような、生成される必要がある系列を決定する複数の方法を用いて生成される必要がある系列を決定してもよく、この説明はここでは繰り返さない。
【０１０９】
系列生成ユニット７０４は、時間／周波数リソース系列決定ユニット７０３によって決定された系列を生成するよう構成されている。
【０１１０】
処理ユニット７０５は、系列生成ユニット７０４によって生成された系列を対応する時間／周波数リソース上で送信するか、または、受信側における相関計算のような、対応する時間／周波数リソース上で受け取られる系列の処理の際に、系列生成ユニット７０４によって生成された系列を使用するよう構成されている。具体的な実施方法は、上記方法の実施形態で説明したとおりである。
【０１１１】
上記システムは無線通信系列割り当て装置を含み、この装置は、セルに系列グループを割り当て、システムにおいてサポートされる時間／周波数リソースのモードに従って系列を搬送するのに使用される系列グループ内の系列を決定するよう構成された系列割り当てユニット７０１を含む。
【０１１２】
上記システムはさらに、無線通信システム内で系列を決定し、処理する系列処理装置を含む。図８に示すように、系列処理装置７００は、前記セル系列決定ユニット７０２、前記時間／周波数リソース系列決定ユニット７０３、前記系列生成ユニット７０４、および前記処理ユニット７０５を含む。
【０１１３】
実施形態において方法を実施するステップの全部または一部が、プログラムを介して関連するハードウェアに命令することによって実施されてもよく、プログラムはコンピュータ可読記憶媒体に格納されてもよいことを、当業者は理解することができる。例えば、プログラムが実行されるときには、システムによってサポートされる系列の時間／周波数リソースの占有モードに従って決定される複数の系列を含む系列グループを生成するステップと、系列グループをセルに割り当てるステップとが含まれてもよい。記憶媒体はＲＯＭ／ＲＡＭ、磁気ディスク、光ディスクなどであってもよい。
【０１１４】
本発明の保護の範囲は特許請求の範囲の保護の範囲によって定義される。本発明の精神および範囲を逸脱することなく当業者によって行われる本発明の様々な変形および改変は、本発明の特許請求の範囲の保護の範囲内に含まれるものである。
【図１】
0005647177.tif 000013
【図２】
0005647177.tif 000014
【図３】
0005647177.tif 000015
【図４】
0005647177.tif 000016
【図５】
0005647177.tif 000017
【図６】
0005647177.tif 000018
【図７】
0005647177.tif 000019
【図８】
0005647177.tif 000020